(57)【要約】【課題】  スペース化を図ることができ、耐久性が高く、またパターンに含まれるデータをより正確に取得できる表示装置、その製造装置及び表示装置の製造方法を提供する。【解決手段】  液晶ディスプレイのカラーフィルタは、色要素層Ｒ，Ｇ，Ｂを備えている。カラーフィルタを製造する液滴吐出装置の制御部は、液晶ディスプレイに付与される識別子データを、ＤＣＴなどの拡散技術を用いて変換した変換データを生成し、この変換データに基づいてビットマップデータを生成する。制御部は、生成したビットマップデータに基づいて、色要素層Ｒ，Ｇ，Ｂを形成する機能液の液滴の吐出回数を変更し、低濃度の色要素層Ｒ２，Ｇ２，Ｂ２と、高濃度の色要素層Ｒ１，Ｇ１，Ｂ１とを形成し、これら色要素層Ｒ，Ｇ，Ｂの濃淡によりパターンを構成する。【選択図】      図４
2006267458.tif 000002
【特許請求の範囲】
【請求項１】
複数の画素を備えた表示装置において、
所定データを拡散処理により変換した変換データを、画素を構成する機能層のパラメータとして復元可能な形態で埋め込んだことを特徴とする表示装置。
【請求項２】
請求項１に記載の表示装置において、
前記機能層は、色を表示するための複数の色要素層であり、前記パラメータは各色の濃淡であることを特徴とする表示装置。
【請求項３】
請求項２に記載の表示装置において、
前記色要素層のうち低明度の色を構成する色要素層にのみ濃淡を付けたことを特徴とする表示装置。
【請求項４】
複数の画素を備える表示装置の製造装置において、
前記表示装置に記録させる格納データを取得する取得手段と、
前記格納データを拡散処理により変換した変換データを生成する生成手段と、
この変換データに基づいて、前記画素のパターンの形成条件を作成する作成手段と、
前記形成条件に基づいて、前記画素を形成する画素形成領域に、前記パターンを形成する実行手段と
を備えることを特徴とする製造装置。
【請求項５】
請求項４に記載の製造装置において、
前記形成条件は、カラーフィルタを構成する色要素層の濃度条件であることを特徴とする製造装置。
【請求項６】
請求項５に記載の製造装置において、
前記形成条件は、低明度の色要素層に関する濃度条件であることを特徴とする製造装置。
【請求項７】
請求項５又は６に記載の製造装置において、
前記パターンを形成するために、前記画素形成領域に液滴を吐出させる液滴吐出手段を備え、
前記カラーフィルタの濃度条件を、前記液滴吐出手段からの液滴の吐出回数としたことを特徴とする製造装置。
【請求項８】
複数の画素を備える表示装置の製造方法において、
前記表示装置に記録させる格納データを取得する段階と、
前記格納データを拡散処理により変換した変換データを生成する段階と、
この変換データに基づいて、前記画素のパターンの形成条件を作成する段階と、
前記形成条件に基づいて、前記画素を形成する画素形成領域に、前記パターンを形成する段階と
を備えることを特徴とする製造方法。
【発明の詳細な説明】
【技術分野】
【０００１】
本発明は、表示装置、製造装置及び表示装置の製造方法に関する。
【背景技術】
【０００２】
従来、液晶ディスプレイ装置や有機エレクトロルミネッセンスディスプレイ装置（有機ＥＬディスプレイ装置）等の表示装置は、基板上に形成された複数の電気光学素子を備えている。一般に、この種の基板には、品質管理・製品管理の目的で、製造番号等をコード化したバーコード等のパターンが描画されている。このパターンは、専用のコード・リーダによって読み取られ、解読される。
【０００３】
一方、パターンを描画した基板は、電気光学素子の各製造工程を経るため、耐擦性、耐薬品性、耐熱性等が要求される。このような課題に対し、レーザ照射による基板への直接描画方法や、パターンを描画した耐熱性の粘着シールを基板に貼着する方法等が提案されている。また、特許文献１では、研磨剤を含んだ水を基板等に噴射し、基板に番号等を刻印するウォータジェット方法が提案されている。更に、特許文献２では、レーザ光を照射して、クロム被膜を基板に転写させてパターンを描画する方法が提案されている。
【特許文献１】特開２００３−１２７５３７号公報
【特許文献２】特開平１１−７７３４０号公報
【発明の開示】
【発明が解決しようとする課題】
【０００４】
しかしながら、前記した各方法では、パターンを、基板がディスプレイに実装された際に画像表示に悪影響を与えず、しかも外部から視認し難い箇所に形成しなければならない。このため、パターンの描画だけのために、基板の隅部にスペースを確保していた。しかし、最近では、基板に各素子が形成されて高密度化する傾向があるため、コード描画領域は確保し難いことが多い。
【０００５】
また、ウォータジェット方法等では、特殊な装置が必要となり、コスト低減、設備の小型化等の点で不利であるため、電気光学素子の製造工程に採用するのは難しい。
更に、パターンから得られる製造番号等のデータは、管理目的に使用されるので、パターンに含まれるデータをより正確に取得できるようにすることが望ましい。
【０００６】
本発明は、上記問題点に鑑みてなされたものであり、その目的は、省スペース化を図ることができ、耐久性が高く、またパターンに含まれるデータをより正確に取得できる表示装置、その製造装置及び表示装置の製造方法を提供することにある。
【課題を解決するための手段】
【０００７】
本発明は、複数の画素を備えた表示装置において、所定データを拡散処理により変換した変換データを、画素を構成する機能層のパラメータとして復元可能な形態で埋め込んだ。これによれば、拡散処理により変換した変換データを、画素を形成する機能層のパラメータとして埋め込んでいるので、読み取るときにデータの一部が欠損していても、そのデータを補完することができ、データをより正確に取得することができる。また、変換データを機能層のパラメータとして埋め込んでいるので、表示基板等にパターンを形成するためだけのパターン形成領域を確保する必要がない。
【０００８】
この表示装置において、前記機能層は、色を表示するための複数の色要素層であり、前記パラメータは各色の濃淡である。これによれば、変換データは、色要素層の濃淡の配置
により表示させる。このため、色要素層の濃淡が全体的に展開されているので、その濃淡が視認され難い。また、複数の色要素層を用いるので、表示装置により多くのデータを埋め込むことができる。
【０００９】
この表示装置において、前記色要素層のうち低明度の色を構成する色要素層にのみ濃淡を付ける。これによれば、低明度の色の濃淡は、高明度の色の濃淡に比べて視認性が低いため、機能層の濃淡による色ムラを目立ち難くすることができ、画像表示に与える影響をより小さくすることができる。
【００１０】
本発明は、複数の画素を備える表示装置の製造装置において、前記表示装置に記録させる格納データを取得する取得手段と、前記格納データを拡散処理により変換した変換データを生成する生成手段と、この変換データに基づいて、前記画素のパターンの形成条件を作成する作成手段と、前記形成条件に基づいて、前記画素を形成する画素形成領域に、前記パターンを形成する実行手段とを備える。
【００１１】
これによれば、拡散処理により変換した変換データを、画素を形成するパターンの形成条件に反映させ、この形成条件に基づいて画素形成領域にパターンを形成させるので、読み取るときにデータの一部が欠損していても、そのデータをより正確に取得することができる表示装置を製造することができる。また、表示基板等にパターンを形成するためだけのパターン形成領域を確保する必要のない表示装置を製造することができる。
【００１２】
この製造装置において、形成条件は、前記カラーフィルタを構成する色要素層の濃度条件である。これによれば、カラーフィルタの濃度条件を画素のパターンの形成条件として作成し、これに基づいて、画素を形成する画素を形成する画素形成領域に、パターンを形成する。このため、色の濃淡を容易に変更することができる。
【００１３】
この製造装置において、形成条件は、低明度の色要素層に関する濃度条件である。これによれば、低明度の色要素層に関する濃度条件を画素のパターンの形成条件として作成するため、視認性が低く、濃淡による色ムラが目立ち難い表示装置を製造することができる。
【００１４】
この製造装置において、前記パターンを形成するために、前記画素形成領域に液滴を吐出させる液滴吐出手段を備え、前記カラーフィルタの濃度条件を、前記液滴吐出手段からの液滴の吐出回数とした。
【００１５】
これによれば、製造装置は、液滴吐出手段からの吐出液滴数を変更することで、カラーフィルタの濃度条件を変更することができる。このため、新たな工程を増やさずに、また従来の製造装置を用いて、濃淡によるパターンを形成した表示装置を製造することができる。
【００１６】
本発明は、複数の画素を備える表示装置の製造方法において、前記表示装置に記録させる格納データを取得する段階と、前記格納データを拡散処理により変換した変換データを生成する段階と、この変換データに基づいて、前記画素のパターンの形成条件を作成する段階と、前記形成条件に基づいて、前記画素を形成する画素形成領域に、前記パターンを形成する段階とを備える。
【００１７】
これによれば、拡散処理により変換した変換データを、画素を形成するパターンの形成条件に反映させ、この形成条件に基づいて画素形成領域にパターンを形成させるので、読み取るときにデータの一部が欠損していても、そのデータをより正確に取得することができる表示装置を製造することができる。また、表示基板等にパターンを形成するためだけ
のパターン形成領域を確保する必要のない表示装置を製造することができる。
【発明を実施するための最良の形態】
【００１８】
（第１の実施形態）
以下、本発明を具体化した第１の実施形態を図１〜図１０に従って説明する。図１は、表示装置としての液晶ディスプレイ１の概略図、図２は液晶ディスプレイ１の要部断面図である。
【００１９】
図１及び図２に示すように、液晶ディスプレイ１は、素子基板２と対向基板３とを備えている。図１に示すように、素子基板２の図の上側には、信号生成回路４ａ、電圧制御回路４ｂが形成されている。また、素子基板２には、１対の走査線駆動回路４ｃが対向基板３を挟むように形成され、対向基板３の下側には、信号線駆動回路４ｄが形成されている。更に、素子基板２及び対向基板３の外側には、図示しない１対の偏光板が設けられている。
【００２０】
図２に示すように、素子基板２には、画素電極５と、画素トランジスタ６とが形成されている。素子基板２と対向基板３との間には、図示しないスペーサを含むシール材７が介在することにより空間が形成され、この空間には、液晶８が封入されている。また、素子基板２側には、図示しないバックライトユニットが配設されている。更に、対向基板３の液晶８側には、対向電極１２と、透過性を有する保護膜１１と、カラーフィルタ１０とが形成されている。
【００２１】
次に、対向基板３に形成されたカラーフィルタ１０について、図３〜図５に従って説明する。図３は、カラーフィルタ１０の概略図、図４は、カラーフィルタ１０の要部平面図、図５は、カラーフィルタ１０の要部断面図である。図３に示すように、カラーフィルタ１０は、矩形状に形成された、色要素層としての赤色要素層Ｒ、緑色要素層Ｇ及び青色要素層Ｂと、各色要素層Ｒ，Ｇ，Ｂの隙間にそれぞれ設けられたブラックマトリクスＫとを備えている。また、各色要素層Ｒ，Ｇ，Ｂは、色ごとにＸ矢印方向に一列に配列され、各列は、Ｙ矢印方向に赤、緑、青の順番に並設されている。これら各色要素層Ｒ，Ｇ，Ｂは、Ｙ矢印方向に並ぶ色要素層Ｒ，Ｇ，Ｂで１つの画素Ｐを構成している。本実施形態では、画素Ｐは３２０行・２４０列で形成されている。
【００２２】
図５に示すように、ブラックマトリクスＫの間に区画され、各色要素層Ｒ，Ｇ，Ｂが形成される部分を、画素形成領域１８という。この画素形成領域１８には、図４に示すように、色要素層Ｒ，Ｇ，Ｂは、復元可能なパラメータとしての濃淡を有し、色の濃い高濃度の色要素層Ｒ１，Ｇ１，Ｂ１と、色の薄い低濃度の色要素層Ｒ２，Ｇ２，Ｂ２とから構成されている。本実施形態では、高濃度の色要素層Ｒ１，Ｇ１，Ｂ１と、低濃度の色要素層Ｒ２，Ｇ２，Ｂ２との配置は、後述するように拡散技術を用いて変換したパターンデータに基づいて決定されている。そして、このカラーフィルタ１０の濃度分布のパターンにより、元のデータを復元し、取得することができる。
【００２３】
（液滴吐出装置）
次に、このカラーフィルタ１０を製造するために用いる製造装置としての液滴吐出装置２０について、説明する。
【００２４】
図６に示すように、液滴吐出装置２０は、略板状の搬送台２１を備え、搬送台２１は、基台２２に設けられた搬送レール２３に沿って、Ｙ矢印方向及び反Ｙ矢印方向（図６の紙面に垂直な方向）に往復移動可能になっている。
【００２５】
また、液滴吐出装置２０は、支持部２４を備えている。この支持部２４は、Ｘ矢印方向
と平行に、搬送台２１の移動経路の上方を横切るように設けられ、この支持部２４には、走査レール２５がＸ矢印方向と平行に配設されている。更に、この走査レール２５には、キャリッジ２６が摺動可能に設けられており、キャリッジ２６が搬送台２１の移動経路の上方でＸ矢印方向及び反Ｘ矢印方向に移動可能となっている。
【００２６】
キャリッジ２６は、液滴吐出ヘッド２７を搭載している。液滴吐出ヘッド２７は、各色要素層Ｒ，Ｇ，Ｂをそれぞれ形成するための各機能液を内部に一時貯留可能に形成されている。この液滴吐出ヘッド２７の下面には、図８に示すようにノズルプレート２９が設けられている。このノズルプレート２９には、各機能液をそれぞれ吐出する複数のノズル２８が貫通形成されている。これらノズル２８は機能液の種類ごとに一列に並設されているとともに、異なる機能液を吐出するノズル２８は、同じ画素形成領域１８に液滴を吐出しないような間隔をおいて設けられている。更に、液滴吐出ヘッド２７は、各ノズル２８に対応した圧電素子２７ａ（図７参照）を備え、圧電素子２７ａの変形により、内部に貯留した機能液を加圧して各ノズル２８から押し出し、機能液の一部を液滴Ｆｂとして下方に吐出するようになっている。
【００２７】
なお、液滴吐出ヘッド２７は、色要素層Ｒ，Ｇ，Ｂをそれぞれ形成する機能液を収容した図示しない複数の貯留タンクに接続されている。この貯留タンクに収容される機能液は、各色材、色材を溶解する溶媒等から構成される。これら機能液は、貯留タンクから、図示しない供給機構を介して液滴吐出ヘッド２７に供給される。
【００２８】
図８に示すように、キャリッジ２６には、レーザヘッド３１が搭載されている。レーザヘッド３１は、図示しない半導体レーザを備え、液滴吐出ヘッド２７から吐出されて対向基板３に付着した液滴Ｆｂに向って、レーザ光を照射できるようになっている。
【００２９】
更に、図７に示すように、液滴吐出装置２０は、制御装置３２を備えており、この制御装置３２には、取得手段、生成手段、作成手段及び実行手段としての制御部３３が設けられている。この制御部３３は、ＣＰＵ、ＲＯＭ、ＲＡＭ等を備え、ＲＯＭ等に格納された制御プログラム及びパターン作成プログラムに従って、搬送台２１の搬送及び液滴吐出動作を行なう。ここで、パターン作成プログラムには、カラーフィルタ１０に情報を埋め込むための電子透かし生成プログラムが含まれる。この電子透かし生成プログラムは、カラーフィルタ１０に埋め込んで記録させる格納データを、拡散技術を用いて変換するプログラムである。本実施形態では、拡散技術として、例えば、離散コサイン変換（ＤＣＴ；Discrete Cosine Transform）など、周波数変換に用いられる技術を利用する。このため、
制御部３３は、パターン作成プログラムに従って、受信したデータを拡散変換処理により変換する。そして、変換したデータに基づいて、２次元平面上に配置される画素形成領域１８に吐出する液滴Ｆｂの量（少量又は多量のいずれか）を示すビットマップデータを生成する。
【００３０】
また、制御部３３は、図示しない入力装置に接続されており、この入力装置から格納データを受信する。本実施形態では、制御部３３は、この格納データとして、液晶ディスプレイ１に付与された識別番号に関するデータを受信する。制御部３３は、受信した格納データに基づいて、上述した拡散変換処理を行い、ビットマップデータを生成してＲＡＭに格納する。本実施形態では、画素Ｐは３２０行・２４０列あり、画素Ｐは３つの色要素層Ｒ，Ｇ，ＢがＹ方向に並設されているため、このビットマップデータは、圧電素子２７ａに対応して３２０×３×２４０ビットのビット長を有したシリアルデータである。このため、制御部３３は、液滴Ｆｂの量に応じた各ビットの値（例えば少量の場合には「０」、多量の場合には「１」）に応じて、液滴吐出ヘッド２７からの液滴Ｆｂの吐出回数を変更する。
【００３１】
また、制御部３３は、ノズル駆動回路３４と接続し、ノズル駆動回路３４にノズル駆動信号を出力する。ノズル駆動回路３４は、制御部３３からのノズル駆動信号に基づいて、液滴吐出ヘッド２７に設けた各圧電素子２７ａのうち、対応する圧電素子２７ａを通電して、駆動させる。これにより、制御部３３は、圧電素子の駆動回数を制御して、ビットマップデータの吐出量に対応する液滴を各画素形成領域１８に吐出する。
【００３２】
更に、制御部３３は、Ｘ軸モータ駆動回路３５と接続し、Ｘ軸モータ駆動回路３５にＸ軸モータ駆動信号を出力するようになっている。Ｘ軸モータ駆動回路３５は、制御部３３からのＸ軸駆動信号に応答して、Ｘ軸モータＭＸを正転又は逆転させるようになっている。例えば、Ｘ軸モータＭＸが正転すると、キャリッジ２６はＸ矢印方向に移動し、Ｘ軸モータＭＸが逆転すると、キャリッジ２６は反Ｘ矢印方向に移動する。
【００３３】
また、制御部３３は、Ｙ軸モータ駆動回路３６と接続し、Ｙ軸モータ駆動回路３６にＹ軸モータ駆動信号を出力するようになっている。Ｙ軸モータ駆動回路３６は、制御部３３からのＹ軸駆動信号に応答して、Ｙ軸モータＭＹを正転又は逆転させるようになっている。例えば、Ｙ軸モータＭＹが正転すると、搬送台２１はＹ矢印方向に移動し、Ｙ軸モータＭＹが逆転すると、搬送台２１が反Ｙ矢印方向に移動する。
【００３４】
また、制御部３３は、レーザヘッド３１に、予め定めたタイミングで駆動信号を出力するようになっている。レーザヘッド３１は、駆動信号を受信すると、鉛直方向下側に向って半導体レーザからレーザ光を出射する。
【００３５】
（液晶ディスプレイ１の製造）
次に、上述した液晶ディスプレイ１の製造方法について説明する。まず、光透過性を有する対向基板３に、格子状のブラックマトリクスＫを形成する。具体的には、対向基板３上に、クロム等のスパッタリング膜を形成し、フォトリソグラフィー法によりパターニングする。このブラックマトリクスＫと対向基板３とにより、矩形状の画素形成領域１８がそれぞれ区画形成される。
【００３６】
次に、上述した液滴吐出装置２０を用いて、カラーフィルタ１０を形成する。このとき、まず、図８に示すように、対向基板３が、搬送台２１に、ブラックマトリクスＫの形成面を上にした状態で、かつ各画素形成領域１８からなる各行がＹ矢印方向と平行になるように、載置固定される。また、対向基板３が搬送台２１に載置固定されるまでに、液滴吐出装置２０の制御部３３は、その液晶ディスプレイ１に付与された識別番号に関する格納データを、拡散技術を用いて変換し、この変換データに基づいてビットマップデータを生成し、ＲＡＭに格納する。
【００３７】
そして、制御部３３は、Ｘ軸モータＭＸ及びＹ軸モータＭＹを駆動させて、対向基板３の角の画素Ｐが、各色要素層Ｒ，Ｇ，Ｂをそれぞれ形成するための各機能液を吐出するノズル２８の直下となる位置まで、キャリッジ２６及び搬送台２１を移動させて静止させる。
【００３８】
次に、制御部３３は、キャリッジ２６をＸ矢印方向に移動させながら、ＲＡＭに格納されたビットマップデータに基づいて、液滴吐出ヘッド２７の圧電素子２７ａを駆動する。これにより、図８に示すように、液滴吐出ヘッド２７のノズル２８から、例えば約１〜２ｐｌ（ピコリットル）の液滴Ｆｂが吐出される。そして、ビットマップデータに応じた回数で圧電素子２７ａが駆動されて、画素形成領域１８には、少量又は多量の液滴が吐出される。具体的には、ビットマップデータにおいて「０」とされた画素形成領域１８には、例えば液滴が９回吐出され、「１」とされた画素形成領域には、例えば液滴が１１回吐出される。図９に示すように、ビットマップデータに応じて、画素形成領域１８には、液滴
Ｆｂの吐出量が異なる液滴Ｆｃが着弾して付着する。
【００３９】
なお、制御部３３は、Ｘ軸モータＭＸを正転させて、すなわちキャリッジ２６をＸ方向に移動させながら、吐出を行なう。また、制御部３３は、各色要素層Ｒ，Ｇ，Ｂをそれぞれ形成する異なる液滴を同時に吐出させて、画素Ｐを構成する１組の色要素層Ｒ，Ｇ，Ｂを同時に形成する。
【００４０】
そして、制御部３３は、１つの画素Ｐを形成すると、そのままＸ軸モータＭＸを正転させ続けて、次の画素Ｐを形成する画素形成領域１８に、ビットマップデータに応じた塗布量の液滴Ｆｂを吐出する。このようにして、同じ列にある画素Ｐの色要素層Ｒ，Ｇ，Ｂに液滴を形成し終わると、制御部３３は、搬送台２１をＹ矢印方向に移動させ、隣の列の画素Ｐの色要素層Ｒ，Ｇ，Ｂを、同様にして形成する。
【００４１】
そして、その列のすべての画素Ｐに対して液滴を吐出し終わると、制御部３３は、再びＹ軸モータＭＹを駆動して、次の列の画素形成領域１８に液滴Ｆｂを吐出する。このように、画素Ｐの列ごとに、画素Ｐを構成する色要素層Ｒ，Ｇ，Ｂが形成される。そして、最後の列の画素形成領域１８に対して液滴Ｆｂの吐出が完了すると、対向基板３全体にわたって、少量の液滴Ｆｃが収容された画素形成領域１８と、多量の液滴Ｆｃが収容された画素形成領域１８とが存在するようになる。そして、画素形成領域１８に液滴が収容された対向基板３を、乾燥装置で乾燥し、溶媒を蒸発させる。
【００４２】
その結果、対向基板３に、赤色要素層Ｒ、緑色要素層Ｇ、青色要素層Ｂがそれぞれ形成される。このとき、少量の液滴が収容された画素形成領域１８は、色材が少量しか含まれないため、低濃度の色要素層Ｒ２，Ｇ２，Ｂ２となる。また、多量の液滴が収容された画素形成領域１８は、色材が多量に含まれるため、高濃度の色要素層Ｒ１，Ｇ１，Ｂ１が形成される。これによりカラーフィルタ１０が完成する。
【００４３】
次に、各色要素層Ｒ，Ｇ，Ｂが形成された対向基板３に、保護膜１１を形成する。更に、保護膜１１上に、ＩＴＯ膜からなる対向電極１２をスパッタ法等の公知の方法により形成する。
【００４４】
その後、画素電極５、シール材７、画素トランジスタ６等が形成された素子基板２と、カラーフィルタ１０が形成された対向基板３とを向かい合わせて接合し、その間に液晶８を封入させ、前記各偏光板を配設することにより液晶ディスプレイ１が形成される。
【００４５】
このカラーフィルタ１０を備えた液晶ディスプレイ１は、図１０に示すような携帯電話４０に実装される。
その後、液晶ディスプレイ１の識別番号を取得する場合には、携帯電話４０から液晶ディスプレイ１を取り出し、この液晶ディスプレイ１のカラーフィルタ１０の濃度分布のパターンを読み取る。具体的には、液晶ディスプレイ１の全体にレーザ光を照射し、レーザ光と反対側に、集光レンズを介して透過光を受光する受光素子を設ける。受光素子は、液晶ディスプレイ１全体に向って照射したレーザ光を、集光レンズに集光した後に、受光して、その液晶ディスプレイ１の透過率を検出する。すなわち、低濃度の色要素層Ｒ２，Ｇ２，Ｂ２の透過率と、高濃度の色要素層Ｒ１，Ｇ１，Ｂ１の透過率との差異により、液晶ディスプレイ１の各色要素層Ｒ，Ｇ，Ｂの色濃度を検出する。そして、液晶ディスプレイ１を構成する色要素層Ｒ，Ｇ，Ｂのそれぞれの色濃度を取得して、液晶ディスプレイ１の色要素層Ｒ，Ｇ，Ｂの濃度分布のパターンを検出する。続いて、この検出した濃度分布パターンを逆ＤＣＴ変換して、この液晶ディスプレイ１に付与された識別番号などに関するデータを復元する。
【００４６】
本実施形態によれば、以下のような効果を得ることができる。
（１）本実施形態では、制御部３３は、生成したこのビットマップデータに基づいて、高濃度の色要素層Ｒ２，Ｇ２，Ｂ２と低濃度の色要素層Ｒ１，Ｇ１，Ｂ１とを形成する。このため、拡散変換処理したデータに基づいて、液晶ディスプレイ１全体の色要素層Ｒ，Ｇ，Ｂによる濃度分布のパターンが形成される。従って、素子基板２や対向基板３等にパターン形成領域を別途、設ける必要がない。なお、色要素層Ｒ，Ｇ，Ｂは、保護膜１１等によって保護されるので、パターンの耐久性がよい。
【００４７】
また、色要素層Ｒ，Ｇ，Ｂの濃度によりパターンを形成するため、色要素層Ｒ，Ｇ，Ｂには色ムラが生じるが、全体的に不規則なムラとなっていることが多いため、目立ち難く、画像表示への影響を少なくすることができる。
【００４８】
（２）本実施形態では、制御部３３は、電子透かし生成プログラムに従って、入力装置から受信した格納データを、拡散技術を用いて変換したデータに基づいて、ビットマップデータを生成する。制御部３３は、生成したビットマップデータに基づいて、低濃度の色要素層Ｒ２，Ｇ２，Ｂ２と高濃度の色要素層Ｒ１，Ｇ１，Ｂ１とを形成する。このため、濃度分布のパターンデータは、冗長性を有する。従って、液晶ディスプレイ１の一部が欠損していたり、部分的に汚れていたりする場合など、濃度分布を構成する色要素層Ｒ，Ｇ，Ｂの全面にわたる情報を取得できない場合であっても、他のデータが欠損データ部分を補完するため、識別番号などの元のデータを、より確実に取得することができる。
【００４９】
（３）本実施形態では、制御部３３は、ビットマップデータに基づいて、低濃度の色要素層Ｒ２，Ｇ２，Ｂ２と高濃度の色要素層Ｒ１，Ｇ１，Ｂ１とを形成するために、各画素形成領域１８に吐出する液滴の回数を変更する。このため、例えば、従来と同じ工程及び同じ装置を用いて、濃度の異なる色要素層Ｒ，Ｇ，Ｂを製造することができるので、工程数の増加、設備の変更等が必要ない。
【００５０】
（第２の実施形態）
次に、本発明を具体化した第２の実施形態を従って説明する。なお、本実施形態は、上記第１の実施形態の色要素層Ｒ，Ｇ，Ｂのうち、青色要素層Ｂのみを濃度変化させるようにしたため、同様の部分についてはその詳細な説明を省略する。
【００５１】
本実施形態では、制御装置３２の制御部３３は、入力装置から受信した所定のデータを拡散技術を用いて変換する。このとき、青色要素層Ｂの濃度を変更させるビットマップデータを生成し、ＲＡＭに格納する。制御部３３は、ＲＡＭに格納したビットマップデータに基づいて、Ｘ軸モータＭＸ、Ｙ軸モータＭＹ及び圧電素子２７ａを駆動させて、各色要素層Ｒ，Ｇ，Ｂの液滴を、それぞれの画素形成領域１８に吐出する。
【００５２】
このとき、制御部３３は、ビットマップデータに基づいて、青色要素層Ｂとなる画素形成領域１８のうち、低濃度の色要素層Ｂ２と高濃度の色要素層Ｂ１とを形成するように、青色の液滴を吐出する回数を変更する。その結果、対向基板３には、赤色要素層Ｒとなる画素形成領域１８や緑色要素層Ｇとなる画素形成領域１８には、同程度の液滴が収容される。一方、青色要素層Ｂとなる画素形成領域１８には、少量の液滴が収容された画素形成領域１８と、多量の液滴が収容された画素形成領域１８とが存在する。そして、この対向基板３を、上記第１の実施形態と同様に、乾燥装置で乾燥し、溶媒を蒸発させる。その結果、対向基板３に、赤色要素層Ｒ、緑色要素層Ｇ、青色要素層Ｂがそれぞれ形成される。このとき、青色要素層Ｂとして、低濃度の色要素層Ｂ２と、高濃度の色要素層Ｂ１とが形成される。
【００５３】
従って、本実施形態によれば、上記第１の実施形態に記載の（１）〜（３）の効果に加
えて、以下の効果を得ることができる。
（４）本実施形態では、赤色要素層Ｒ及び緑色要素層Ｇは、濃度を変更せず、青色要素層Ｂを、低濃度の色要素層Ｂ２と、高濃度の色要素層Ｂ１とにより構成する。すなわち、明度が低く視認性が低い青色要素層Ｂの濃度のみを変更するので、赤色要素層Ｒ及び緑色要素層Ｇの濃度も変更する場合に比べて、青色要素層Ｂの濃度差、すなわちムラがいっそう目立ち難く、画像表示に与える悪影響をより少なくすることができる。
【００５４】
なお、本実施形態は以下のように変更してもよい。
・上記各実施形態では、制御部３３は、液晶ディスプレイ１を構成する各色要素層Ｒ，Ｇ，Ｂの濃度を変更して、拡散技術を用いて変換した格納データをパターン化した。これに代えて、図１１に示すように、制御部３３は、拡散技術を用いて変換した格納データを、色要素層Ｒ，Ｇ，Ｂの内部に形成する金属ドット１５の有無により、カラーフィルタ内に表示してもよい。なお、図１１は、青色要素層Ｂに選択的に金属ドット１５を形成している。この場合であっても、拡散技術を用いて格納データを変換しているため、このパターンデータは、冗長性を有する。従って、液晶ディスプレイ１の一部が欠損していたり汚れていたりして、濃度分布を構成する色要素層Ｒ，Ｇ，Ｂの濃淡をすべて取得できない場合であっても、他のデータが欠損データ部分を補完するため、識別番号などの元のデータを取得することができる。
【００５５】
・上記各実施形態では、制御部３３は、離散コサイン変換ＤＣＴの拡散技術を用いて、入力装置からの格納データを変換して、ビットマップデータを生成した。拡散技術は、これに限らず、フーリエ変換やキノフォームによる変換を用いてもよい。また、データを変換せずに、データそのものを繰り返して含ませたパターンを形成してもよい。この場合、データを規則正しくパターンに含ませるとムラとして認識され易くなるので、ランダムに見えるように、配置を工夫するのが望ましい。
【００５６】
・上記各実施形態では、液晶ディスプレイ１の識別番号のデータを、色要素層Ｒ，Ｇ，Ｂの濃度分布のパターンで示した。色要素層Ｒ，Ｇ，Ｂの濃度分布のパターンで示す格納データは、これに限らず、携帯電話４０等の電子機器の固有識別子、又は、電子機器を所有するユーザ識別子をパターン化してもよい。
【００５７】
・上記各実施形態では、各色要素層Ｒ，Ｇ，Ｂを、液滴吐出方法により形成したが、顔料分散法、染色法等の他の方法により形成してもよい。すなわち、色要素層Ｒ，Ｇ，Ｂの塗布量を、従来の工程及び従来の製造装置を用いて変更できるものであればよい。
【００５８】
・上記各実施形態では、色要素層Ｒ，Ｇ，Ｂの濃度差を２段階に設定したが、３段階以上にしてもよい。このようにすると、限られた数の青色要素層Ｂを使用して、より多くの情報をパターン化することができる。
【００５９】
・上記第１の実施形態では、すべての色要素層Ｒ，Ｇ，Ｂの濃淡により、上記第２の実施形態では、青色要素層Ｂの濃淡によってパターンを示した。これに限らず、赤色要素層Ｒのみ、緑色要素層Ｇのみ、又はこれら色要素層Ｒ，Ｇ，Ｂのうち２色の色要素層の濃淡を用いてパターンを示してもよい。
【００６０】
・上記各実施形態では、カラーフィルタ１０を、各色要素層Ｒ，Ｇ，Ｂを色ごとの列に配置するストライプ配列型のカラーフィルタとしたが、いわゆるモザイク配列型、又はデルタ配列型のカラーフィルタにしてもよい。
【００６１】
・上記各実施形態では、ＲＧＢ方式のカラーフィルタ１０内に、パターン構成要素を形成したが、ＣＭＹ方式のカラーフィルタに形成されてもよい。
・上記各実施形態では、ＲＧＢ方式のカラーフィルタ１０内に、パターン構成要素を形成したが、各画素の金属配線に適用してもよい。例えば、金属配線の断面積を一定に維持しながら、配線幅や配線パターンをビットマップに対応させて変更してもよい。この場合には、液滴吐出装置２０において、各配線を形成する場合にビットマップに対応させて形状を変更する。
【００６２】
・上記各実施形態では、液晶ディスプレイ１以外の表示装置又はその他の製品にパターン構成要素を形成してもよい。例えば、有機ＥＬディスプレイ、平面状の電子放出素子を備え、同素子から放出された電子による蛍光物質の発光を利用した電界効果型ディスプレイ（ＦＥＤやＳＥＤ等）等の表示装置内に形成してもよい。
【図面の簡単な説明】
【００６３】
【図１】本実施形態の液晶ディスプレイの概略図。
【図２】同液晶ディスプレイの要部断面図。
【図３】同液晶ディスプレイに備えられるカラーフィルタの概略図。
【図４】同カラーフィルタの要部平面図。
【図５】同カラーフィルタの要部断面図。
【図６】同カラーフィルタを製造するための液滴吐出装置の概略図。
【図７】同液滴吐出装置の制御装置の電気的構成を示すブロック図。
【図８】同カラーフィルタの製造工程の説明図。
【図９】同カラーフィルタの製造工程の説明図。
【図１０】同液晶ディスプレイが実装された電気機器の斜視図。
【図１１】変更例におけるカラーフィルタの要部平面図。
【符号の説明】
【００６４】
Ｂ，Ｂ１，Ｂ２…青色要素層、Ｇ，Ｇ１，Ｇ２…緑色要素層、Ｒ，Ｒ１，Ｒ２…赤色要素層、Ｆｂ，Ｆｃ…液滴、Ｐ…画素、１…表示装置としての液晶ディスプレイ、１０…カラーフィルタ、１８…画素形成領域、２０…製造装置としての液滴吐出装置、２７…液滴吐出手段としての液滴吐出ヘッド、３３…取得手段、生成手段、作成手段及び実行手段としての制御部。
【図１】
2006267458.tif 000003
【図２】
2006267458.tif 000004
【図３】
2006267458.tif 000005
【図４】
2006267458.tif 000006
【図５】
2006267458.tif 000007
【図６】
2006267458.tif 000008
【図７】
2006267458.tif 000009
【図８】
2006267458.tif 000010
【図９】
2006267458.tif 000011
【図１０】
2006267458.tif 000012
【図１１】
2006267458.tif 000013